(57)【特許請求の範囲】
【請求項１】
所定の走査方向に往復移動しながら、複数のノズルからインクを吐出するインクジェットヘッドと、
前記ノズルから吐出されたインクを着弾させる被記録媒体を、前記走査方向と直交する搬送方向に搬送する搬送機構と、
前記インクジェットヘッド及び前記搬送機構の動作を制御する制御装置と、を備え、
前記インクジェットヘッドは、前記複数のノズルとして、
前記搬送方向に関して所定の第１間隔で配列された複数の第１ノズルと、
前記搬送方向に関して、前記第１間隔の２以上の所定の整数倍の間隔である第２間隔で配列されており、前記複数の第１ノズルとは別の種類のインクを吐出する複数の第２ノズルと、を有し、
前記制御装置は、
前記キャリッジを前記走査方向の一方側に移動させつつ、前記複数の第１ノズル及び前記複数の第２ノズルからインクを吐出させる一方側記録動作と、前記キャリッジを前記走査方向の他方側に移動させつつ、前記複数の第１ノズル及び前記複数の第２ノズルからインクを吐出させる他方側記録動作と、を交互に前記所定整数回実行させるとともに、前記一方側記録動作及び前記他方側記録動作のいずれかを実行させる毎に、前記搬送機構に前記被記録媒体を、前記第１間隔と同じ長さ、又は、前記第１間隔と同じ長さに前記第２間隔のある整数倍の長さを加えた長さだけ前記搬送方向に搬送させることによって、前記被記録媒体の前記走査方向に延びた単位記録領域に画像を記録させる単位記録動作を、繰り返し実行させることによって、前記被記録媒体に画像の記録を行わせ、
前記一方側記録動作において、前記単位記録領域の一部であって、着弾したインクによって形成されるドットが前記走査方向に複数並び得る一方側着弾領域にインクを着弾させ、
前記他方側記録動作において、前記画像記録領域のうち、前記一方側着弾領域以外の部分であって、前記ドットが走査方向に複数並び得る他方側着弾領域にインクを吐出させ、
前記一方側着弾領域及び前記他方側着弾領域は、ある単位記録動作と、その直前及び直後の単位記録動作のうち少なくとも片方の単位記録動作に対応する前記一方側着弾領域同士、及び、前記他方側記録動作同士が、それぞれ、少なくとも一部分において前記搬送方向に重なるように決められた領域であることを特徴とする画像記録装置。
【請求項２】
前記制御装置が、前記一方側着弾領域及び前記他方側着弾領域の位置を変更する変更手段をさらに備えていることを特徴とする請求項１に記載の画像記録装置。
【請求項３】
前記第１ノズルから吐出されるインクが、ブラックのインクであり、
前記第２ノズルから吐出されるインクが、カラーのインクであることを特徴とする請求項１又は２に記載の画像記録装置。
【発明の詳細な説明】
【技術分野】
【０００１】
本発明は、被記録媒体にノズルからインクを吐出することによって画像の記録を行う画像記録装置に関する。
【背景技術】
【０００２】
特許文献１には、インクジェットヘッドが、走査方向に往復移動しつつノズルからインクを吐出することによって画像の記録を行う画像形成装置が記載されている。特許文献１に記載のインクジェットヘッドでは、ブラックのノズルが６００ｄｐｉの密度で配列されているのに対して、カラーのノズルが３００ｄｐｉの密度で配列されている。すなわち、ブラックのノズルのノズル同士の間隔が、カラーのノズルのノズル同士の間隔の半分となっている。ブラックのインク及びカラーのインクの両方を用いて画像の記録を行う際に、インクジェットヘッドを走査方向に移動させつつ、ブラック及びカラーのノズルからインクを吐出させ、その後、記録用紙をブラックのノズルの間隔５つ分搬送する、といった一連の動作を繰り返し実行させている。
【０００３】
このとき、特許文献１では、ブラックノズルを１つおきに配置される２つのブラックノズルのグループに分け、インクの吐出タイミング毎に、これら２つのグループの一方及び他方に属するブラックノズルから交互にインクを吐出させている。あるいは、インクジェットヘッドを走査方向の一方側に移動させるときに、一方のグループに属するノズルのみからインクを吐出させ、インクジェットヘッドを走査方向の他方側に移動させるときに、他方のグループに属するノズルのみからインクを吐出させている。そして、このようにして画像の記録を行わせることにより、インクジェットヘッドを走査方向に１回移動させる間に、全てのブラックのノズルにインクを吐出する機会ができ、ブラックのノズルの乾燥を防止することができる。
【先行技術文献】
【特許文献】
【０００４】
【特許文献１】特開２０１０−１６２８０４号公報
【発明の概要】
【発明が解決しようとする課題】
【０００５】
ここで、特許文献１に記載の画像形成装置において、上述したようにしてノズルからインクを吐出させて画像の記録を行わせた場合、インクジェットヘッドを走査方向の一方側に移動させたときに吐出されたインクによって形成されるドットと、インクジェットヘッドを走査方向の他方側に移動させたときに吐出されたインクによって形成されるドットとが、走査方向及び記録用紙の搬送方向の少なくともいずれか一方に交互に並ぶこととなる（特許文献１の図６、図７、図１０、図１２参照）。
【０００６】
一方で、インクジェットヘッドを走査方向に往復移動させつつノズルからインクを吐出させた場合、インクジェットヘッドを走査方向の一方側に移動させつつノズルから吐出させたインクの着弾位置と、インクジェットヘッドを走査方向の他方側に移動させつつノズルから吐出させたインクの着弾位置とが、走査方向にずれることがある。
【０００７】
そのため、特許文献１に記載の画像形成装置において、文字の縦線や表の縦線など、記録用紙の搬送方向に延びた線を含む画像の記録を行うと、インクジェットヘッドを走査方向の一方側に移動させたときに吐出されたインクによって形成されるドットと、インクジェットヘッドを走査方向の他方側に移動させたときに吐出されたインクによって形成されるドットとが、記録用紙の搬送方向に隣接して並ぶときには、搬送方向に延びた線が部分毎に走査方向にずれてしまう虞がある。また、インクジェットヘッドを走査方向の一方側に移動させたときに吐出されたインクによって形成されるドットと、インクジェットヘッドを走査方向の他方側に移動させたときに吐出されたインクによって形成されるドットとが、走査方向に隣接して並ぶときには、記録用紙の搬送方向に延びた線の太さが所望の太さにならないことがある。そして、これらのことが、画質が低下につながる。
【０００８】
本発明の目的は、ノズルの乾燥を防止しつつ、被記録媒体の搬送方向に延びた線を含む画像を高い品質で記録することが可能な画像記録装置を提供することである。
【課題を解決するための手段】
【０００９】
第１の発明に係る画像記録装置は、所定の走査方向に往復移動しながら、複数のノズルからインクを吐出するインクジェットヘッドと、前記ノズルから吐出されたインクを着弾させる被記録媒体を、前記走査方向と直交する搬送方向に搬送する搬送機構と、前記インクジェットヘッド及び前記搬送機構の動作を制御する制御装置と、を備え、前記インクジェットヘッドは、前記複数のノズルとして、前記搬送方向に関して所定の第１間隔で配列された複数の第１ノズルと、前記搬送方向に関して、前記第１間隔の２以上の所定の整数倍の間隔である第２間隔で配列されており、前記複数の第１ノズルとは別の種類のインクを吐出する複数の第２ノズルと、を有し、前記制御装置は、前記キャリッジを前記走査方向の一方側に移動させつつ、前記複数の第１ノズル及び前記複数の第２ノズルからインクを吐出させる一方側記録動作と、前記キャリッジを前記走査方向の他方側に移動させつつ、前記複数の第１ノズル及び前記複数の第２ノズルからインクを吐出させる他方側記録動作と、を交互に前記所定整数回実行させるとともに、前記一方側記録動作及び前記他方側記録動作のいずれかを実行させる毎に、前記搬送機構に前記被記録媒体を、前記第１間隔と同じ長さ、又は、前記第１間隔と同じ長さに前記第２間隔のある整数倍の長さを加えた長さだけ前記搬送方向に搬送させることによって、前記被記録媒体の前記走査方向に延びた単位記録領域に画像を記録させる単位記録動作を、繰り返し実行させることによって、前記被記録媒体に画像の記録を行わせ、前記一方側記録動作において、前記単位記録領域の一部であって、着弾したインクによって形成されるドットが前記走査方向に複数並び得る一方側着弾領域にインクを着弾させ、前記他方側記録動作において、前記画像記録領域のうち、前記一方側着弾領域以外の部分であって、前記ドットが走査方向に複数並び得る他方側着弾領域にインクを吐出させ、前記一方側着弾領域及び前記他方側着弾領域は、ある単位記録動作と、その直前及び直後の単位記録動作のうち少なくとも片方の単位記録動作に対応する前記一方側着弾領域同士、及び、前記他方側記録動作同士が、それぞれ、少なくとも一部分において前記搬送方向に重なるように決められた領域であることを特徴とする。
【００１０】
本発明によると、一方側記録動作及び他方側記録動作のいずれにおいても、第１ノズルからインクを吐出させる。したがって、第２ノズルよりもノズル間隔の小さい第１ノズルが乾燥してしまうのを防止することができる。また、一方側着弾領域には、一方側記録動作によって吐出されたインクのみが着弾し、他方側着弾領域には、他方側記録動作によって吐出されたインクのみが着弾する。そのため、一方側着弾領域及び他方側着弾領域には、それぞれ、インクジェットヘッドが同じ方向に移動しているときに吐出されたインクのみが着弾する。したがって、一方側着弾領域内及び他方側着弾領域内では、着弾したインクによって形成されるドットに、インクジェットヘッドの移動方向の違いによる走査方向におけるズレが生じない。これにより、搬送方向に延びた線を記録する場合に、当該線を所望の太さで記録することができる。
【００１１】
また、本発明では、少なくとも２以上の一方側着弾領域の少なくとも一部分が搬送方向に重なり、少なくとも２以上の他方側着弾領域の少なくとも一部分が搬送方向に重なる。そのため、これら２以上の一方側着弾領域、及び、２以上の他方側着弾領域には、それぞれ、インクジェットヘッドが同じ方向に移動しているときに吐出されたインクのみが着弾する。したがって、搬送方向に延びた線が、これら２以上の一方側着弾領域にまたがって記録される場合、及び、２以上の他方側着弾領域にまたがって記録される場合に、当該線が部分毎に走査方向にずれることがない。
【００１２】
そして、以上のことから、搬送方向に延びた線を含む画像を高い品質で記録することができる。
【００１３】
第２の発明に係る画像記録装置は、第１の発明に係る画像記録装置において、前記制御装置が、前記一方側着弾領域及び前記他方側着弾領域の位置を変更する変更手段をさらに備えていることを特徴とする。
【００１４】
本発明によると、記録される画像の搬送方向に延びた線の位置などに応じて、一方側着弾領域及び他方側着弾領域の位置を変更することができる。
【００１５】
第３の発明に係る画像記録装置は、第１又は第２の発明に係る画像記録装置において、前記第１ノズルから吐出されるインクが、ブラックのインクであり、前記第２ノズルから吐出されるインクが、カラーのインクであることを特徴とする。
【００１６】
本発明によると、ブラックのインクとカラーのインクとを用いて画像の記録を行う場合に、カラーのインクを吐出するノズルよりもノズル間隔の小さいブラックのインクを吐出する第１ノズルの乾燥を防止することができるとともに、記録される画像の画質を向上させることができる。
【発明の効果】
【００１７】
本発明によれば、ノズル間隔の小さい第１ノズルが乾燥してしまうのを防止することができるとともに、搬送方向に延びた線を含む画像を高い品質で記録させることができる。
【図面の簡単な説明】
【００１８】
【図１】実施の形態に係るプリンタ１の概略構成図である。
【図２】図１のインクジェットヘッド３におけるノズルの位置関係を示す図である。
【図３】実施の形態に係るプリンタ１のハードウェア構成を示したハードウェアブロック図である。
【図４】第１記録モードで画像の記録を行ったときの、インクを吐出させるノズル及びインクの着弾位置を示す図である。
【図５】第１記録モードで画像の記録を行うときの、領域の区分の一例を示す図である。
【図６】第２記録モードで画像の記録を行ったときの、インクを吐出させるノズル及びインクの着弾位置を示す図である。
【図７】第３記録モードで画像の記録を行ったときの、インクを吐出させるノズル及びインクの着弾位置を示す図である。
【図８】印刷処理の手順を示すフローチャートである。
【図９】変形例１の図４相当の図である。
【図１０】変形例２の図４相当の図である。
【図１１】変形例３の図５相当の図である。
【発明を実施するための形態】
【００１９】
以下、本発明の好適な実施の形態について説明する。
【００２０】
図１に示すように、本実施の形態に係るプリンタ１は、キャリッジ２、インクジェットヘッド３、用紙搬送ローラ４などを備えている。また、プリンタ１の動作は、制御装置５０によって制御されている。
【００２１】
キャリッジ２は、２本のガイドレール５に沿って走査方向に往復移動する。なお、以下では、走査方向の右側及び左側を図１に示すように定義して説明を行う。インクジェットヘッド３は、キャリッジ２に搭載されており、３つのブラックヘッドユニット１１ａ〜１１ｃと、３つのカラーヘッドユニット１２ａ〜１２ｃとを備えている。
【００２２】
３つのブラックヘッドユニット１１ａ〜１１ｃは、走査方向に沿って配列されており、それぞれ、走査方向と直交する搬送方向に間隔Ｋｃで配列された複数のブラックノズル１５を備えている。また、ブラックヘッドユニット１１ｂは、ブラックヘッドユニット１１ａから搬送方向の上流側に間隔Ｋｃの３分の１の間隔Ｋｂ（＝Ｋｃ／３）だけずれて配置されており、ブラックヘッドユニット１１ｃは、ブラックヘッドユニット１１ｂから搬送方向の上流側に間隔Ｋｂだけずれて配置されている。これにより、インクジェットヘッド３においては、ブラックノズル１５が、搬送方向に関して、間隔Ｋｂで配列されている。
【００２３】
ここで、本実施の形態では、上述の通り、ブラックノズル１５が間隔Ｋｃでそれぞれ配列された３つのブラックヘッドユニット１１ａ〜１１ｃが搬送方向に、互いにブラックノズル１５の間隔Ｋｂずつずれて配置されることで、ブラックノズル１５が間隔Ｋｂで配列されていたが、３つのブラックヘッドユニット１１ａ〜１１ｃの代わりに、ブラックノズル１５が間隔Ｋｂで配列された１つのブラックヘッドユニットが設けられていてもよい。
【００２４】
３つのカラーヘッドユニット１２ａ〜１２ｃは、走査方向に沿って配列されており、それぞれ、走査方向と直交する搬送方向に間隔Ｋｃで配列された複数のカラーノズル１６を備えている。また、３つのカラーヘッドユニット１２ａ〜１２ｃは、搬送方向には互いにずれておらず、３つのカラーヘッドユニット１２ａ〜１２ｃのカラーノズル１６は、搬送方向に関してブラックヘッドユニット１１ｃのブラックノズル１５と同じ位置にある。
【００２５】
また、インクジェットヘッド３は、チューブ１３を介して４つのインクカートリッジ１４と接続されている。４つのインクカートリッジ１４には、走査方向の右側に配置されているものから順に、ブラック、イエロー、シアン、マゼンタのインクが貯留されており、これら４色のインクがチューブ１３を介してインクジェットヘッド３に供給される。
【００２６】
そして、インクジェットヘッド３は、インクカートリッジ１４から供給されたこれら４色のインクを吐出する。具体的には、ブラックヘッドユニット１１ａ〜１１ｃのブラックノズル１５からブラックのインクを吐出し、カラーヘッドユニット１２ａ〜１２ｃのカラーノズル１６から、それぞれ、順にイエロー、シアン、マゼンタのインクを吐出する。
【００２７】
用紙搬送ローラ４は、記録用紙Ｐを搬送方向に搬送する。そして、プリンタ１においては、キャリッジ２を走査方向の右側又は左側に移動させつつ、キャリッジ２に搭載されたインクジェットヘッド３からインクを吐出させる走査を行い、走査毎に用紙搬送ローラ４によって記録用紙Ｐを搬送方向に所定量だけ搬送する、といった動作を繰り返すことにより、記録用紙Ｐに画像の記録を行う。
【００２８】
次に、図３を参照して、プリンタ１のハードウェアの構成を説明する。図３に示すように、プリンタ１は、制御装置５０と、ドライバＩＣ６１と、キャリッジモータ６２と、搬送モータ６３と、インクジェットヘッド３と、受信装置６４と、読取装置６５と、操作パネル６６とを備えている。
【００２９】
受信装置６４は、ＰＣなどの外部装置７１からプリンタ１へ送信された各種のデータを受信するためのインターフェースである。具体的には、周知のネットワークカードや、ＵＳＢデバイスコントローラなどである。読取装置６５は、メモリカード等の携帯型のストレージや、デジタルカメラや等の外部メモリ７２に記憶された各種のデータを読み取るためのコントローラである。具体的には、周知のメモリコントローラや、ＵＳＢホストコントローラなどである。操作パネル６６は、ディスプレイと、ユーザが操作するための各種の操作ボタンを備える。ユーザは、操作パネル６６を操作して、プリンタ１に各種の指示を入力することができる。
【００３０】
制御装置５０は、ＣＰＵ（Central Processing Unit）、ＲＯＭ（Read Only Memory）、ＲＡＭ（Random Access Memory）、ＡＳＩＣ（Application Specific Integrated Circuit）などを含む各種の制御回路を備える。制御装置５０は、ＲＯＭやＲＡＭなどのメモリに記憶された各種のプログラムに従って、記録制御処理、画像データ取得処理、モード情報取得処理、モード決定処理、領域変更処理などの各種の処理を行う。
【００３１】
記録制御処理は、プリンタ１において画像の記録を行う際の、インクジェットヘッド３を駆動するドライバＩＣ６１、キャリッジ２を移動させるキャリッジモータ６２、用紙搬送ローラ４を駆動する搬送モータ６３などの動作を制御する処理である。制御装置５０は、ドライバＩＣ６１、キャリッジモータ６２、搬送モータ６３などを制御することにより、後述する第１〜第３記録モードのうちいずれかの記録モードで選択的に画像の記録を行わせる。
【００３２】
画像データ取得処理は、ＰＣ等の外部装置７１からプリンタ１に対して送信された画像データを取得する処理である。制御装置５０は、例えば、上述の受信装置６４を介して画像データを取得する。ＰＣ等の外部装置７１は、例えば、ユーザが所望の電子ファイルの記録を指示した場合に、プリンタ１で印刷可能な画像データを作成し、その画像データをプリンタ１に送信する。なお、画像データは、ページ記述言語で記述されたデータでもよいし、プリンタ１で解読可能なＪＰＥＧなどの所定の形式の画像ファイルのデータでもよい。
【００３３】
モード情報取得処理は、後述の第１〜第３記録モードのうちいずれの記録モードで記録用紙Ｐに画像の記録を行わせるかを示すモード情報を取得する処理である。制御装置５０は、例えば、上述の受信装置６４を介してモード情報を取得する。なお、本実施形態におけるモード情報は、ＰＣ等の外部装置７１により印刷の指示が行われた場合に、外部装置７１のプリンタドライバが作成したデータでよい。外部装置７１は上述の画像データとともにモード情報をプリンタ１に送信する。なお、制御装置５０が取得するモード情報は、ページ記述言語で記載されたデータでもよいし、ＪＰＥＧなど所定形式の画像ファイルのヘッダーに記載されたデータなどでもよい。
【００３４】
外部装置７１のプリンタドライバは、各種の印刷設定や、元の電子ファイルのファイル形式に応じて、いずれの記録モードで印刷を行うかを示すモード情報を生成するようにしてもよい。例えば、プリンタドライバのＧＵＩで第１〜第３記録モードの中から所望の記録モードをユーザが選択できるようにし、プリンタドライバがこの選択に基づいてモード情報を生成するようにしてもよい。ユーザは、第１〜第３モードのうち好みの記録モードを直接設定することができる。
【００３５】
また、ユーザが第１〜第３記録モードを直接設定するのではなく、ユーザが入力した他の項目の印刷設定に基づいて、プリンタドライバが第１〜第３のモード情報を生成するようにしてもよい。例えば、プリンタドライバのＧＵＩでは、「モノクロ／カラー設定」について、選択できるようにすればよい。「モノクロ／カラー設定」の項目では、「モノクロ印刷」または「カラー印刷」のいずれか一方の印刷設定が選択できればよい。そして、プリンタドライバは、「モノクロ印刷」が設定されている場合には、第３モードを示すモード情報を生成すればよい。また、プリンタドライバは、「カラー印刷」が設定されている場合には、印刷指示がされた元の電子ファイルのファイル形式に基づいて第１モードもしくは第２モードのいずれかを示すモード情報を生成すればよい。より具体的には、文字や罫線等、搬送方向に延びた線が利用される表計算ソフトやワープロソフト等のファイル形成の場合は、第１モードを示すモード情報を生成すればよい。一方、元の電子ファイルのファイル形式が、ＴＩＦＦやＧＩＦ等の画像ファイルの場合は第２モードを示すモード情報を生成すればよい。
【００３６】
モード決定処理は、モード情報取得処理で取得したモード情報に基づいて、プリンタ１において、後述の第１〜第３記録モードのうちいずれの記録モードによって記録用紙Ｐに画像の記録を行わせるかを決定する処理である。モード決定処理の詳細は後述する。
【００３７】
領域変更処理は、後述の第１記録モードで記録を行わせる場合の、記録用紙Ｐの後述の領域Ａ１〜Ａ４、Ｂ１〜Ｂ４、Ｃ１〜Ｃ４、Ｄ１〜Ｄ４の位置を変更する処理である。上記領域の変更は、例えば、ユーザが操作パネル６６や外部装置７１を操作して領域変更の指示を行ったときに、その指示結果に応じて行われるようになっていてもよい。あるいは、記録される画像の文字のサイズなどに応じて行われるようになっていてもよい。
【００３８】
ここで、上述の第１〜第３記録モードによる画像の記録について説明する。第１記録モードは、記録用紙Ｐにブラックのインクとカラーのインクとを重ねて着弾させることによって、カラーの画像の記録を行う記録モードである。
【００３９】
図４の左側の図は、第１記録モードの各走査におけるブラックノズル１５及びカラーノズル１６の位置関係、及び、インクを吐出させるノズル１５、１６を模式的に示したものである。この図では、丸で囲んだ「Ｂ」が３つのブラックヘッドユニット１１ａ〜１１ｃのブラックノズル１５に対応している。また、丸で囲んだ「Ｃ」が３つのカラーヘッドユニット１２ａ〜１２ｃのカラーノズル１６に対応している。また、この図の上側の１〜６の数字は、何回目の走査であるかを示しており、これらの数字の下方に示す矢印は、各走査におけるキャリッジ２の移動方向を示している。また、この図では、各走査においてインクを吐出させるノズル１５、１６を実線で示し、インクを吐出させないノズル１５、１６を破線で示している。
【００４０】
図４の右側の図は、第１記録モードで画像の記録を行ったときに、各走査において吐出されたインクが着弾することによって形成されるドット１００の位置を模式的に示した図である。この図では、丸で囲んだ数字は何回目の走査により吐出されたインクにより形成されたドットであるかを示している。ここで、この図では、ブラックのインクの着弾位置と、カラーのインクの着弾位置とを別々に図示しているが、ブラックのインクとカラーのインクとは、記録される画像の少なくとも一部分において互いに重なって着弾する。また、カラーのインクについては、後述の領域Ａ１〜Ｄ１の、各走査によって形成されるドット１００の位置は同じであるので、図４ではこれらを１つの図で示している。後述の領域Ａ２〜Ｄ２、領域Ａ３〜Ｄ３及び領域Ａ４〜Ｄ４についても同様である。
【００４１】
なお、プリンタ１においては、実際には、インクジェットヘッド３の搬送方向の位置は変わらず、記録用紙Ｐが搬送方向に搬送されるが、図４では、各走査によって形成されるドット１００の位置をわかりやすくするため、記録用紙Ｐの位置を固定し、記録用紙Ｐを基準としたインクジェットヘッド３の位置を示している。また、図４では、走査方向に３２個のドット１００が並び、搬送方向に１６個のドット１００が並ぶ領域Ｒに、６回の走査によって画像の記録を行う場合を示している。
【００４２】
ここで、本実施の形態では、領域Ｒを、図４に示すように、走査方向及び搬送方向にそれぞれ４等分することにより、それぞれにおいてドット１００が走査方向に８個並び搬送方向４個並ぶ１６個の領域に区分する。なお、以下では、これらの１６個の領域を、例えば、左から２番目で、且つ、搬送方向下流側から３番目の領域を領域Ｂ３と表すなど、左から何番目の領域であるかを示すアルファベットＡ〜Ｄと、搬送方向下流側から何番目にあるかを示す数字１〜４を用いて表す。
【００４３】
また、本実施の形態では、上述の領域変更処理において、上記１６個の領域の位置を変更して、図５（ｂ）に示すように、図中太線で示した、領域Ａ１〜Ａ４を合わせた領域Ｒａ、領域Ｂ１〜Ｂ４を合わせた領域Ｒｂ、領域Ｃ１〜Ｃ４を合わせた領域Ｒｃ、及び、領域Ｄ１〜Ｄ４を合わせた領域Ｒｄに、それぞれ、１つの文字Ｍが収まるようにする。
【００４４】
そして、第１記録モードでは、キャリッジ２を右側に移動させながら、ブラックノズル１５及びカラーノズル１６からインクを吐出させる、１回目の走査を実行させる。このとき、ブラックのインクについては、領域Ａ１、Ｃ１のうち、左から奇数番目のドット１００を形成するインクのみを吐出させる。一方、カラーのインクについては、領域Ａ１〜Ｄ１の搬送方向下流側から２番目のドット１００を形成するインクを吐出させる。
【００４５】
次に、記録用紙Ｐを搬送方向に、ブラックのノズル１５の間隔Ｋｂの４倍の長さである４Ｋｂ、言い換えれば、ブラックノズル１５の間隔Ｋｂと、カラーノズル１６の間隔Ｋｃ（＝３Ｋｂ）とを足し合わせた長さＫｂ＋Ｋｃだけ搬送する。続いて、キャリッジ２を左側に移動させながらブラックノズル１５及びカラーノズル１６からインクを吐出させる、２回目の走査を行う。このとき、ブラックのインクについては、領域Ｂ１、Ｄ１のドット１００、及び、領域Ｂ２、Ｄ２の左から奇数番目のドット１００を形成するインクのみを吐出させる。一方、カラーのインクについては、領域Ａ１〜Ｄ１の搬送方向下流側から３番目のドット１００、及び、領域Ａ２〜Ｄ２の搬送方向下流側から２番目のドット１００を形成するインクを吐出させる。
【００４６】
次に、記録用紙Ｐを搬送方向に４Ｋｂだけ搬送する。続いて、キャリッジ２を右側に移動させながらブラックノズル１５及びカラーノズル１６からインクを吐出させる、３回目の走査を行う。このとき、ブラックのインクについては、領域Ａ１、Ｃ１の左から偶数番目のドット１００、領域Ａ２、Ｃ２のドット１００、及び、領域Ａ３、Ｃ３の左から奇数番目のドット１００を形成するインクのみを吐出させる。一方、カラーのインクについては、領域Ａ１〜Ｄ１の搬送方向下流側から１、４番目のドット、領域Ａ２〜Ｄ２の搬送方向下流側から３番目のドット１００、及び、領域Ａ３〜Ｄ３の搬送方向下流側から２番目のドット１００を形成するインクを吐出させる。
【００４７】
次に、記録用紙Ｐを搬送方向に４Ｋｂだけ搬送する。続いて、キャリッジ２を左側に移動させながらブラックノズル１５及びカラーノズル１６からインクを吐出させる、４回目の走査を行う。このとき、ブラックのインクについては、領域Ｂ２、Ｄ２の左から偶数番目のドット１００、及び、領域Ｂ３、Ｄ３のドット１００、及び、領域Ｂ４、Ｄ４の左から奇数番目のドット１００を形成するインクのみを吐出させる。一方、カラーのインクについては、領域Ａ２〜Ｄ２の搬送方向下流側から１、４番目のドット、領域Ａ３〜Ｄ３の搬送方向下流側から３番目のドット１００、及び、領域Ａ４〜Ｄ４の搬送方向下流側から２番目のドット１００を形成するインクを吐出させる。
【００４８】
次に、記録用紙Ｐを搬送方向に４Ｋｂだけ搬送する。続いて、キャリッジ２を右側に移動させながらブラックノズル１５及びカラーノズル１６からインクを吐出させる、５回目の走査を行う。このとき、ブラックのインクについては、領域Ａ３、Ｃ３の左から偶数番目のドット１００、及び、領域Ａ４、Ｃ４のドット１００を形成するインクのみを吐出させる。一方、カラーのインクについては、領域Ａ３〜Ｄ３の搬送方向下流側から１、４番目のドット、及び、領域Ａ４〜Ｄ４の搬送方向下流側から３番目のドットを形成するインクを吐出させる。
【００４９】
次に、記録用紙Ｐを搬送方向に４Ｋｂだけ搬送する。続いて、キャリッジ２を左側に移動させながらブラックノズル１５及びカラーノズル１６からインクを吐出させる、６回目の走査を行う。このとき、ブラックのインクについては、領域Ｂ４、Ｄ４の左から偶数番目のドット１００を形成するインクのみを吐出させる。一方、カラーのインクについては、領域Ａ４〜Ｄ４の搬送方向下流側から１、４番目のドットを形成するインクを吐出させる。
【００５０】
次に、第２記録モードについて説明する。第２記録モードは、第１記録モードとは別の、記録用紙Ｐにブラックのインクとカラーのインクとを重ねて着弾させることによって、カラーの画像の記録を行う記録モードである。図６は、第２記録モードにおける、図４に対応する図である。第２記録モードにおいても、第１記録モードと同様、６回の走査によって領域Ｒに画像の記録を行うが、各走査におけるブラックのインクの着弾位置が第１記録モードとは異なる。なお、第２記録モードの各走査におけるカラーのインクの着弾位置は、第１記録モードと同様であるので、ここでは、ブラックのインクについてのみ説明を行う。また、第２記録モードにおいても、第１記録モードと同様、走査毎に記録用紙Ｐを搬送方向に４Ｋｂだけ搬送する。
【００５１】
第２記録モードでは、ブラックのインクについては、１回目の走査において、領域Ａ１〜Ｄ１のうち、左から１、５番目のドット１００を形成するインクのみを吐出させる。また、２回目の走査において、領域Ａ１〜Ｄ１の左から偶数番目のドット１００、及び、領域Ａ２〜Ｄ２の左から１、５番目のドット１００を形成するインクのみを吐出させる。また、３回目の走査において、領域Ａ１〜Ｄ１の左から３、７番目のドット１００、領域Ａ２〜Ｄ２の左から偶数番目のドット１００、及び、領域Ａ３〜Ｄ３の左から１、５番目のドット１００を形成するインクのみを吐出させる。また、４回目の走査において、領域Ａ２〜Ｄ２の左から３、７番目のドット１００、領域Ａ３〜Ｄ３の左から偶数番目のドット１００、及び、領域Ａ４〜Ｄ４の左から１、５番目のドット１００を形成するインクのみを吐出させる。また、５回目の走査において、領域Ａ３〜Ｄ３の左から３、７番目のドット１００、及び、領域Ａ４〜Ｄ４の左から偶数番目のドット１００を形成するインクのみを吐出させる。また、６回目の走査において、領域Ａ４〜Ｄ４の左から３、７番目のドット１００を形成するインクのみを吐出させる。
【００５２】
このように、第１、第２記録モードでは、６回の走査のうち、１〜３回目の走査によって領域Ａ１〜Ｄ１に画像が記録され、２〜４回目の走査によって領域Ａ２〜Ｄ２に画像が記録され、３〜５回目の走査によって領域Ａ３〜Ｄ３の画像が記録され、４〜６回目の走査によって領域Ａ４〜Ｄ４に画像が記録される。また、第１、第２記録モードでは、３回の走査の間に１回は各ブラックノズル１５にインクの吐出の機会がある。これにより、カラーノズル１６よりも小さい間隔で配置されたブラックノズル１５の乾燥を防止することができる。
【００５３】
次に、第３記録モードについて説明する。第３記録モードは、ブラックのインクのみを用いてモノクロの画像の記録を行う記録モードである。図７は、第３記録モードにおける図４に対応する図である。
【００５４】
第３記録モードでは、キャリッジ２を右側に移動させつつ、ブラックノズル１５からインクを吐出させる、１回目の走査を実行させる。このとき、搬送方向に関して、領域Ａ１〜Ｄ１、Ａ２〜Ｄ２に収まっているブラックノズル１５のみからインクを吐出させる。
【００５５】
次に、記録用紙Ｐをブラックノズル１５の列の長さ、つまり、間隔Ｋｂの１２倍の長さ１２Ｋｂだけ搬送方向に搬送する。続いて、キャリッジ２を左側に移動させつつ、ブラックノズル１５からインクを吐出させる、２回目の走査を実行させる。このとき、搬送方向に関して、領域Ａ３〜Ｄ３、Ａ４〜Ｄ４に収まっているブラックノズル１５のみからインクを吐出させる。
【００５６】
そして、第３記録モードでは、このように、２回の走査により領域Ｒにブラックノズル１５の間隔Ｋｂに対応した解像度でモノクロの画像が記録される。すなわち、第１、第２記録モードよりも高速で、第１、第２記録モードと同じ解像度でモノクロの画像を記録させることができる。
【００５７】
ここで、本実施の形態では、第１〜第３記録モードのいずれかの記録モードで選択的に画像の記録を行わせることができるが、このうち、第１記録モード及び第２記録モードでは、いずれも、ブラックのインクとカラーのインクとが重なって着弾することによって画像が記録される。ここで、第１記録モードによって記録された画像と、第２記録モードによって記録された画像の画質の違いについて説明する。
【００５８】
第１記録モードでは、図４、図５（ａ）に示すように、領域Ａ１〜Ａ４、Ｃ１〜Ｃ４のドット１００は、それぞれ、奇数番目の走査によって吐出されたインクによってのみよって形成されている。すなわち、キャリッジ２が右側に移動しているときに吐出されたインクによってのみ形成されている。
【００５９】
同様に、領域Ｂ１〜Ｂ４、Ｄ１〜Ｄ４のドット１００は、それぞれ、偶数番目の走査によって吐出されたインクによってのみよって形成されている。すなわち、キャリッジ２が左側に移動しているときに吐出されたインクによってのみ形成されている。
【００６０】
これにより、領域Ａ１〜Ａ４、領域Ｂ１〜Ｂ４、領域Ｃ１〜Ｃ４、領域Ｄ１〜Ｄ４において、それぞれ、キャリッジ２が同じ方向に移動しているときに吐出されたインクによって形成されたドット１００が走査方向及び搬送方向に並ぶ。
【００６１】
さらに、領域Ａ１〜Ａ４を合わせた領域Ｒａ、領域Ｂ１〜Ｂ４を合わせた領域Ｒｂ、領域Ｃ１〜Ｃ４を合わせた領域Ｒｃ、及び、領域Ｄ１〜Ｄ４を合わせた領域Ｒｄにおいても、それぞれ、キャリッジ２が同じ方向に移動しているときに吐出されたインクによって形成されたドット１００が走査方向及び搬送方向に並ぶ。
【００６２】
ここで、キャリッジ２を走査方向に往復移動させながらノズル１５、１６からインクを吐出させて画像の記録を行う場合、キャリッジ２を右側に移動させながらインク吐出させたときと、左側に移動させながらインクを吐出させたときとで、インクの着弾位置が走査方向に多少ずれてしまう。
【００６３】
そのため、第１記録モードとは異なり、キャリッジ２を右側に移動させたときに吐出させたインクによって形成されたドット１００と、左側に移動させたときに吐出させたインクによって形成されたドット１００とが搬送方向に並ぶ領域に、１つの文字や、表の縦線など、搬送方向に延びた線が記録されると、当該線が部分毎に走査方向にずれてしまう虞がある。
【００６４】
また、第１記録モードとは異なり、キャリッジ２を右側に移動させたときに吐出させたインクによって形成されたドット１００と、左側に移動させたときに吐出させたインクによって形成されたドット１００とが走査方向に並ぶ領域に、搬送方向に延びた線が記録されると、当該線が所望の太さにならない虞がある。
【００６５】
これに対して、第１記録モードで記録を行った場合には、領域Ｒａ、Ｒｂ、Ｒｃ、Ｒｄに、それぞれ、画像を構成する１つ文字Ｍが収まっているため、文字Ｍの線が部分毎に走査方向にずれることはない。また、線の太さも所望の太さとなる。これにより、搬送方向に延びた線を含む画像を高い品質で記録することができる。
【００６６】
一方、第２記録モードで画像の記録を行った場合には、領域Ａ１〜Ａ４、Ｂ１〜Ｂ４、Ｃ１〜Ｃ４、Ｄ１〜Ｄ４においては、いずれも、奇数番目の走査により吐出されたインクによって形成されたドット１００と、奇数番目の走査により吐出されたインクによって形成されたドット１００とが、走査方向に交互に並ぶ。また、領域Ｒａ、Ｒｂ、Ｒｃ、Ｒｄにおいては、それぞれ、奇数番目の走査により吐出されたインクによって形成された、搬送方向に並ぶ４つのドット１００の組と、偶数番目の走査により吐出されたインクによって形成された、搬送方向に並ぶ４つのドット１００の組とが、搬送方向に交互に並ぶ。
【００６７】
したがって、第１記録モードの場合と比較すると、領域Ｒ全体として、奇数番目の走査により吐出されたインクによって形成されたドット１００と、偶数番目の走査により吐出されたインクによって形成されたドット１００とが均等に配置される。したがって、写真などの記録を行うときに、記録される画像の画質を均一にすることができる。
【００６８】
次に、外部装置７１から記録の指示を受信したときの、制御装置５０の動作について図８を参照して説明する。
【００６９】
画像データの記録の指示を受信装置６４が受信した場合、制御装置５０は、図８に示す印刷処理を開始する。印刷処理を開始すると、制御装置５０は、画像データ取得処理、及び、モード情報取得処理を行う（Ｓ１０１）。そして、画像データの取得、および、モード情報の取得を行ったあと、制御装置５０は、モード決定処理を行う（Ｓ１０２）。そして、いずれの記録モードで画像データを記録するかを決定した後、決定された記録モードが第１記録モードである場合には（Ｓ１０３：ＹＥＳ）、制御装置５０は、位置変更処理を行った上で（Ｓ１０４）、第１記録モードでの記録を行う（Ｓ１０５）。一方、Ｓ１０２で決定された記録モードが、第２、第３記録モードである場合には（Ｓ１０３：ＮＯ）、制御装置５０は、決定された記録モードでの記録を行う（Ｓ１０５）。なお、一つの印刷指示につき複数の画像データを分割して受信する場合は、Ｓ１０５において、続きの画像データの取得と、その画像データの記録とを繰り返し実行する。
【００７０】
本実施の形態では、第１〜第３記録モードのいずれかの所望の記録モードによって画像の記録を行わせることができる。第３記録モードでは、高解像度でモノクロの画像をすばやく記録させることができる。一方、第１記録モードでは、文字や表など、搬送方向に延びた線を含む画像をカラーで記録させる場合に、搬送方向に延びた線を高い品質で記録させることができる。例えば、記録される画像が背景色のある表を含んでおり、表の縦線や文字の線などの品質を高くすることが好ましいと推定される表計算ソフトなどにおいて用いられるファイルを印刷する場合に有利である。一方、第２記録モードでは、モード情報取得部５３が取得したファイル形式が、写真のファイル形式である場合など噴射するインクのデューティが高い場合は、黒ノズルの乾燥を防止してきれいな画像の記録を行わせることができる。
【００７１】
また、本実施の形態では、第１記録モードで画像の記録を行わせる場合に、位置変更処理において、領域Ａ１〜Ａ４、Ｂ１〜Ｂ４、Ｃ１〜Ｃ４、Ｄ１〜Ｄ４の位置を変更することができるので、文字や縦線の位置に合わせて、領域Ａ１〜Ａ４、Ｂ１〜Ｂ４、Ｃ１〜Ｃ４、Ｄ１〜Ｄ４の位置を変更すれば、記録される画像によらず、文字の表の線の記録品質を高くすることができる。
【００７２】
なお、本実施の形態では、ブラックノズル１５が本発明に係る第１ノズルに相当し、カラーノズル１６が本発明に係る第２ノズルに相当する。また、用紙搬送ローラ４が本発明に係る搬送機構に相当する。また、間隔Ｋｂが本発明に係る第１間隔に相当し、間隔Ｋｃが本発明に係る第２間隔に相当する。
【００７３】
また、走査方向の右側が本発明に係る一方側に相当する。また、第１記録モードにおける、キャリッジ２を右側に移動させながら、ノズル１５、１６からインクを吐出させる動作が、本発明に係る一方側記録動作に相当する。そして、一方側記録動作によって吐出されたブラックのインクが着弾する領域Ａ１〜Ａ４、Ｃ１〜Ｃ４が、それぞれ、本発明に係る一方側着弾領域に相当する。
【００７４】
また、走査方向の左側が本発明に係る他方側に相当する。また、第１記録モードにおける、キャリッジ２を左側に移動させながら、ノズル１５、１６からインクを吐出させる動作が、本発明に係る他方側記録動作に相当する。そして、他方側記録動作によって吐出されたブラックのインクが着弾する領域Ｂ１〜Ｂ４、Ｄ１〜Ｄ４が、それぞれ、本発明に係る他方側着弾領域に相当する。
【００７５】
また、連続する３回の走査と、これらの走査の間に行われる記録用紙Ｐの搬送とを合わせたものが、本発明に係る単位記録動作に相当する。そして、連続する３回の走査によって記録される領域Ａ１〜Ｄ１を合わせた領域、領域Ａ２〜Ｄ２を合わせた領域、領域Ａ３〜Ｄ３を合わせた領域、及び、領域Ａ４〜Ｄ４を合わせた領域が、それぞれ、本発明に係る単位記録領域に相当する。
【００７６】
次に、本実施の形態に種々の変更を加えた変形例について説明する。ただし、本実施の形態と同様の構成については、適宜その説明を省略する。
【００７７】
上述の実施形態では、Ｓ１０１において、制御装置５０は、記録モードそのものを直接示す情報をモード情報として取得するものとして説明したが、本発明はこれに限定されるものではない。例えば、他の印刷設定に関する情報を上述のモード情報として利用してもよい。具体的には、「モノクロ／カラー設定」、「縦線設定」の２つの項目の設定に関する情報をモード情報として利用してもよい。これらの印刷設定は、ユーザがプリンタドライバのＧＵＩを利用して適宜設定できるようにし、これらの印刷設定の情報を外部装置がプリンタ１に画像データとともに送信するようにすればよい。「モノクロ／カラー設定」は、上述の説明と同じである。「縦線設定」の項目では、「文字などの縦線を優先する」または「写真などの画像を優先する」のいずれか一方の印刷設定が選択できればよい。
【００７８】
この場合、上述のＳ１０１において、制御装置５０は、これらの設定に関する情報をモード情報として、上述の受信装置６４を介して取得する。そして、Ｓ１０２では、制御装置５０は、Ｓ１０１において受信したこれらの情報に基づいて、いずれの記録モードで記録を行うかを決定する。なお、「縦線設定」については、ユーザが直接設定できるものでなくてもよい。例えば、プリンタドライバが、印刷指示された元の画像ファイルのファイル形式に基づいて設定してもよい。
【００７９】
また、上述の実施形態においては、制御装置５０は、記録モードそのものを直接示す情報をモード情報として取得するものとして説明したが、本発明はこれに限定されるものではない。例えば、画像データそのものをモード情報として利用してもよい。
【００８０】
この場合、制御装置５０は、上述のＳ１０１において画像データのみを取得する。そして、Ｓ１０２において、Ｓ１０１で取得した画像データに基づいて、第１〜第３記録モードのうちいずれの記録モードで記録を行わせるかを決定する。具体的には、Ｓ１０１において取得した画像から、（ｉ）モノクロ画像の記録とカラー画像の記録のいずれが適しているか、（ｉｉ）画像に文字の縦線や表の縦線などの搬送方向の延びた線が含まれているか否かなどをそれぞれ判断する。（ｉ）の判断は、例えば、画像データに黒以外のデータが含まれるか否かによって行う。（ｉｉ）の判断は、例えば、受信した画像に文字などが含まれているか否かをパターンマッチングで判断することによって行う。
【００８１】
また、上述の実施の形態では、制御装置５０が受信装置６４を介して画像データを受信するものとして説明したが、これに限られるものではない。例えば、プリンタ１で印刷可能な所定形式の画像ファイルが画像データとして記憶されたメモリカードなどの外部メモリ７２から、読取装置６５を介して画像データを取得するようにしてもよい。この場合、ユーザが読取装置に外部メモリ７２を接続した後、操作パネル６６で外部メモリ７２に記憶された画像データの印刷の指示を行ったときに、制御装置５０は、上述の印刷処理を開始する。
【００８２】
このとき、制御装置５０は、Ｓ１０１において読取装置６５を介して画像データを取得する。なお、外部メモリ７２には、モード情報はあらかじめ記憶されていなくてもよい。操作パネル６６の印刷を指示する画面で、操作パネル６６がユーザのモードの選択を受け付けるようにすればよい。制御装置５０は、操作パネル６６を介してモード情報を取得する。そして、Ｓ１０２において、操作パネル６６を介して取得したモード情報に基づいて、第１〜第３記録モードのいずれの記録モードで記録を行うかを決定する。
【００８３】
なお、ここでは、操作パネル６６で直接記録モードを指定できるものとして説明したが、他の設定を利用して間接的に記録モードを指定できるものでもよい。あるいは、操作パネル６６での操作によっては記録モードを指定せず、Ｓ１０１で取得した画像データを解析して記録モードを自動で決定してもよい。
【００８４】
また、上述の実施の形態では、走査を行う毎に、記録用紙Ｐを長さ４Ｋｂずつ搬送させたがこれには限られない。例えば、一変形例（変形例１）では、第１、第２記録モードにおいて、１回目と２回目、及び、４回目と５回目の走査の後、それぞれ、記録用紙Ｐを間隔Ｋｂと同じ長さだけ搬送し、３回目の走査の後、記録用紙Ｐを間隔Ｋｂの１０倍の長さ１０Ｋｂ、言い換えれば、間隔Ｋｂに間隔Ｋｃの３倍の長さを加えた長さＫｂ＋３Ｋｃだけ搬送している。なお、図９は、第１記録モードの場合を示している。
【００８５】
ただし、この場合には、領域Ａ１〜Ｄ１、Ａ４〜Ｄ４を、それぞれ、１０個のドットが搬送方向に並ぶ領域とし、領域Ａ２〜Ｄ２、Ａ３〜Ｄ３を、それぞれ、搬送方向にドットが１つだけ配置される領域としている。
【００８６】
また、第１、第２記録モードの各走査の後における記録用紙Ｐの搬送量は、間隔Ｋｂと同じ長さ、又は、間隔Ｋｂに間隔Ｋｃの整数倍を加えた長さであれば、上述の例で説明したものにも限られない。このとき、領域Ａ１〜Ａ４、Ｂ１〜Ｂ４、Ｃ１〜Ｃ４、Ｄ１〜Ｄ４の搬送方向の長さは、記録用紙Ｐの搬送量によって決まる。
【００８７】
また、上述の実施の形態では、領域Ａ１〜Ａ４、Ｂ１〜Ｂ４、Ｃ１〜Ｃ４、Ｄ１〜Ｄ４が、いずれも、走査方向にドット１００が８個並び得る領域であったが、これには限られない。領域Ａ１〜Ａ４、Ｂ１〜Ｂ４、Ｃ１〜Ｃ４、Ｄ１〜Ｄ４は、８個以外の複数個のドット１００が走査方向に並び得る領域であってもよい。さらに、各領域における走査方向に並び得るドット１００の数は、互いに異なっていてもよい。
【００８８】
また、上述の実施の形態では、カラーのノズル１６の間隔Ｋｃが、ブラックのノズル１５の間隔Ｋｂの３倍であったが、これには限られない。例えば、カラーのノズル１６の間隔Ｋｃは、ブラックのノズル１５の間隔Ｋｂの５以上の奇数倍、あるいは、ブラックのノズル１５の間隔Ｋｂの偶数倍であってもよい。
【００８９】
カラーのノズル１６の間隔Ｋｃがブラックのノズル１５の間隔Ｋｂの偶数倍である例として、一変形例（変形例２）では、図１０に示すように、カラーのノズル１６の間隔Ｋｃがブラックのノズル１５の間隔Ｋｂの４倍、すなわち、Ｋｃ＝４Ｋｂとなっている。
【００９０】
この場合には、図１０に示すように、領域Ｒが、ドット１００が搬送方向に１５個並び得る領域であり、搬送方向に関して、ドット１００が５つ並ぶ３つの領域に区分される。
【００９１】
そして、ブラックのインクについては、１回目の走査で、領域Ａ１、Ｃ１の左から奇数番目のドット１００のインクのみを吐出させる。また、２回目の走査で、領域Ｂ１、Ｄ１の左から奇数番目、及び、領域Ｂ２、Ｄ２の左から偶数番目のドット１００を形成するインクのみを吐出させる。また、３回目の走査で、領域Ａ１、Ｃ１、Ａ３、Ｃ３の左から偶数番目、及び、領域Ａ２、Ｃ２の左から奇数番目のドット１００を形成するインクのみを吐出させる。また、４回目の走査で、領域Ｂ１、Ｄ１、Ｂ３、Ｄ３の左から偶数番目、及び、領域Ｂ２、Ｄ２の左から奇数番目のドット１００を形成するインクのみを吐出させる。また、５回目の走査で、領域Ａ２、Ｃ２の左から偶数番目、及び、領域Ａ３、Ｃ３の左から奇数番目のドット１００を形成するインクのみを吐出させる。また、６回目の走査で、領域Ｂ３、Ｄ３の左から奇数番目のドット１００を形成するインクのみを吐出させる。
【００９２】
一方、カラーのインクについては、各領域Ａ１〜Ｄ１、Ａ２〜Ｄ２、Ａ３〜Ｄ３への画像の記録を行う連続する４回の走査のうち、最初の走査で、搬送方向下流側から２番目のドット１００を形成するインクを吐出させる。また、次の走査で、搬送方向下流側から３番目のドット１００を形成するインクを吐出させる。また、次の走査で、搬送方向下流側から４番目のドット１００を形成するインクを吐出させる。そして、最後の走査で、搬送方向下流側から１、５番目のドット１００を形成するインクを吐出させる。
【００９３】
なお、この場合には、各走査の後に、それぞれ、記録用紙Ｐを、間隔Ｋｂの５倍の長さである５Ｋｂだけ、言い換えれば、ブラックのノズル１５の間隔Ｋｂに、カラーのノズル１６の間隔Ｋｃを加えた長さＫｂ＋Ｋｃだけ、搬送方向に搬送させる。
【００９４】
また、上述の実施の形態では、領域Ａ１〜Ａ４、領域Ｂ１〜Ｂ４、領域Ｃ１〜Ｃ４及び領域Ｄ１〜Ｄ４が、それぞれ、搬送方向に完全に重なっていたが、これには限られない。これらの領域は、少なくともその一部分において搬送方向に重なっていればよい。一変形例（変形例３）では、図１１に示すように、領域Ａ２、Ａ４が、領域Ａ１、Ａ３に対して、ドット１００の４つ分だけ右側にずれており、領域Ａ１の略右半分と領域Ａ２の略左半分、領域Ａ２の略左半分と領域Ａ３の略右半分、及び、領域Ａ３の略右半分と領域Ａ４の略左半分が、それぞれ、搬送方向に重なっている。また、領域Ｂ１〜Ｂ４、領域Ｃ１〜Ｃ４、及び、領域Ｄ１〜Ｄ４についても同様である。
【００９５】
この場合でも、例えば、図１１（ｂ）に示すように、領域Ｒａの領域Ａ１〜Ａ４が搬送方向に重なっている部分、領域Ｒｂの領域Ｂ１〜Ｂ４が搬送方向に重なっている部分、領域Ｒｃの領域Ｃ１〜Ｃ４が搬送方向に重なっている部分、及び、領域Ｒｄの領域Ｄ１〜Ｄ４が搬送方向に重なっている部分に、搬送方向に延びた直線Ｌが配置されるように、これらの領域の位置を決めれば、上述の実施の形態と同様、直線Ｌが部分毎に走査方向にずれてしまうことがない。また、直線Ｌを所望の太さで記録することができる。
【００９６】
また、一方側着弾領域及び他方側着弾領域は、それぞれ、搬送方向に記録用紙Ｐの全域にわたって、搬送方向に重なっていることにも限られない。各一方側着弾領域が、当該領域の搬送方向上流側及び下流側に隣接する一方側着弾領域のうち少なくとも片方と重なっていればよい。また、各他方側着弾領域が、当該領域の搬送方向上流側及び下流側に隣接する他方側着弾領域のうち少なくとも片方と重なっていればよい。
【００９７】
また、上述の実施の形態では、位置変更処理によって領域Ａ１〜Ａ４、Ｂ１〜Ｂ４、Ｃ１〜Ｃ４、Ｄ１〜Ｄ４の位置を変更することができるようになっていたが、これらの領域の位置は変更できなくてもよい。この場合でも、例えば、プリンタが、主に、文字のみからなる画像など、搬送方向に延びた線の位置がほとんど変わることのない画像の記録に使用されるものである場合には、予め、搬送方向に延びた線の位置に合わせて領域の位置が設定されていれば、このような線を含む画像を高品質で記録することができる。
【００９８】
また、上述の実施の形態では、カラーノズル１６が、搬送方向に関して、ブラックヘッドユニット１１ｃのブラックノズル１５と同じ位置に配置されていたが、これには限られない。カラーノズル１６は、搬送方向に関して、ブラックヘッドユニット１１ａのブラックノズル１５、あるいは、ブラックヘッドユニット１１ｂのブラックノズル１５と同じ位置に配置されていてもよい。
【００９９】
また、以上では、ブラックのインクを吐出させるブラックノズル１５と、カラーのインクを吐出させるカラーノズルとを有するインクジェットヘッド３を備えたプリンタに本発明を適用した例について説明したが、これには限られない。所定の第１間隔で配列された第１ノズルから吐出されるインクの種類と、第１間隔の所定整数倍の第２間隔で配列された第２ノズルから吐出されるインクの種類との組み合わせは、ブラックインクとカラーインク以外の組み合わせであってもよい。
【符号の説明】
【０１００】
１  プリンタ
３  インクジェットヘッド
４  用紙搬送ローラ
１５、１６  ノズル
５０  制御装置
【図１】
0005884642.tif 000002
【図２】
0005884642.tif 000003
【図３】
0005884642.tif 000004
【図４】
0005884642.tif 000005
【図５】
0005884642.tif 000006
【図６】
0005884642.tif 000007
【図７】
0005884642.tif 000008
【図８】
0005884642.tif 000009
【図９】
0005884642.tif 000010
【図１０】
0005884642.tif 000011
【図１１】
0005884642.tif 000012